Podtech/llm-jp-corpus-v4-ja_patent huggingface dataset:
(57)【要約】【課題】ギヤホーニングにおける研削能率向上、精度向上要求に対してレジノイド砥石は結合剤の弾性係数が低いため砥粒の逃げが生じ精度悪化が早い。ビトリファイド砥石を使用することが一つの選択肢であるが、研削点に掛かる負荷の増大による摩耗及びカケ発生が問題となる。硬化樹脂含浸のみでは切削性が低下して本来目的とした表面品位、形状精度が悪化してしまう。【解決手段】ビトリファイド砥石に潤滑性充填剤を混入した樹脂を含浸処理する。【選択図】なし【特許請求の範囲】
【請求項１】
アルミナ質系砥粒又は炭化珪素質系砥粒とビトリファイド結合剤、気孔からなる砥粒率２０〜６０％、結合剤率７〜３５％、気孔率２５〜６０％のビトリファイド研削砥石の気孔中に潤滑性充填剤を含んだ硬化性樹脂を含浸させることを特徴とするビトリファイド研削砥石
【請求項２】
硬化性樹脂はエポキシ樹脂、ポリエステル樹脂、又はフェノール樹脂を使用し、気孔に対する含浸率が５０〜１００％の請求項１のビトリファイド砥石
【請求項３】
潤滑性充填剤は二硫化モリブデン、BN、グラファイト、ガラスバルーン、酸化セリウム、又は酸化亜鉛を使用し、硬化性樹脂との混合比が０．５〜１０％の請求項２のビトリファイド砥石
【請求項４】
ギヤホーニングに使用される請求項３のビトリファイド砥石
【発明の詳細な説明】
【技術分野】
【０００１】
本発明はアルミナ質砥粒、又は炭化珪素質系砥粒をビトリファイド結合剤で結合して得られるビトリファイド研削砥石
【背景技術】
【０００２】
従来ビトリファイド研削砥石は、耐摩耗性向上、回転強度向上などの目的でその気孔中に硬化性樹脂を含浸して広く利用されている。樹脂含浸処理を施した砥石は耐摩耗性向上、回転強度向上には効果的だが本来ビトリファイド砥石が持つ切削性が落ちる傾向にある。これは気孔中に樹脂が含浸、硬化して砥粒の突き出しを阻害することが原因である。
特に耐摩耗性を要求され尚かつ高精度な品位を要求されるギヤーホーニングにおいては従来レジノイド砥石もしくはレジノイド砥石中にビトリファイド砥石片を混入したハイブリット型砥石が使用されている。
【特許文献１】特許第3723705号
【特許文献２】特開2004-142085
【発明の開示】
【発明が解決しようとする課題】
【０００３】
ギヤホーニングにおける研削能率向上、精度向上要求に対してレジノイド砥石は結合剤の弾性係数が低いため砥粒の逃げが生じ精度悪化が早い。
研削能率向上、精度向上を実現するためにはレジノイド砥石よりも弾性係数の高いビトリファイド砥石を使用することが一つの選択肢である。そこで問題となる事は研削点に掛かる負荷の増大による摩耗及びカケ発生である
上記を解決する手段として硬化樹脂を砥石に含浸処理する方法があるが、切削性が低下して本来目的とした表面品位、形状精度が悪化してしまう。
【課題を解決するための手段】
【０００４】
この発明は含浸させる硬化樹脂中に潤滑性充填剤を混入する。潤滑性充填剤には二硫化モリブデン、BN、グラファイト、ガラスバルーン、酸化セリウム、酸化亜鉛などがある。
【発明の効果】
【０００５】
この発明は含浸させる樹脂中に潤滑性充填剤を混入することにより研削中に充填樹脂中の潤滑性充填剤が研削抵抗を軽減する。切削力向上に伴いワーク精度の向上とその持続性の向上が可能となる
【発明を実施するための最良の形態】
【０００６】
本発明の砥石は砥粒率が２０〜６０％の範囲である。砥粒率が６０％を越えると気孔が少ないため潤滑性充填剤混入樹脂含浸の効果が得られない。２０％を下回ると砥石形状保持が困難である。
本発明の砥石の結合剤率は７〜３５％の範囲である。３５％を越えると結合度が硬すぎて充分な切削力が得にくい。７％を下回ると結合度が軟らかすぎて砥粒脱落が激しくワーク寸法精度がでない。
本発明の砥石の気孔率は２５〜６０％の範囲である。２５％を下回ると潤滑性充填剤混入樹脂含浸の効果が得られない。６０％を越えると砥粒脱落が激しくワーク寸法精度がでない。
樹脂含浸に使用する樹脂はエポキシ樹脂、ポリエステル樹脂、フェノール樹脂が好ましい。
硬化樹脂と潤滑性充填剤の混入比は０．５〜１０．０vol％の範囲である。０．５％を下回ると充填剤の効果が発揮されない。１０％を越えると樹脂の粘度が高くなり砥石への含浸が困難になる。
砥石中の気孔に対する樹脂の含浸率は５０〜１００vol％の範囲である。５０％を下回ると樹脂含浸の硬化が発揮されない。
砥石摩耗と研削抵抗の測定は平面研削盤に角状被削材（SCM420）長さ100mm,幅30mm厚さ40mmを歪み動力計にセットし研削幅３mm、テーブル速度10m/min、切り込み10μ/PASS、総切り込み３mmで試験した。砥石内容はWA 100 R 6 V 205X10X50.8  １含浸無し  ２樹脂単体含浸  ３酸化亜鉛混入（２．０vol％）である。その結果は図１に示す。
【図面の簡単な説明】
【０００７】
【図１】研削試験結果
【符号の説明】
【０００８】
１含浸なしの砥石は研削抵抗は低いが砥石摩耗が多いためワーク精度の維持がしにくい。２樹脂単体含浸は砥石摩耗が１に比較して２５％程度に低くなるがが研削抵抗が３．２倍となり切削力低下、研削能率低下になる。３は２に比較して砥石摩耗の変化は少ないが研削抵抗が４３％低下しており切削力とワーク精度の維持の両立ができる。
【図１】
2010105126.tif 000002
(57)【要約】【課題】  複雑な形状をした包装類等の結え物を容易に、且つ確実に留めることのできる二重輪ゴムで通常の輪ゴムとしても使用できる。【解決手段】  ゴム輪の輪のカット面に平行に切り込みを設けた二重輪ゴムで、複雑な形状をした包装物を結わえる場合に容易且つ確実に留めることができることを特徴とした二重輪ゴム。  又、通常の一重状態の輪ゴムとしても使用できることを特徴とする二重輪ゴム。【選択図】    図1
2010105665.tif 000002
【特許請求の範囲】
【請求項１】
ゴム輪の輪のカット面に平行に切り込みを設けた二重輪ゴムで、複雑な形状をした包装物を結わえる場合に容易且つ確実に留めることができることを特徴とし、又、通常の一重状態の輪ゴムとしても使用できることを特徴とする二重輪ゴム。
【発明の詳細な説明】
【技術分野】
【０００１】
本発明は複雑な形状の包装物を確実に留めることのできる二重輪ゴムに関するものである。
【背景技術】
【０００２】
複雑形状を持つ包装物を輪ゴム留めする場合、輪ゴム単体のみでの使用では確実に留めることは難しいため輪ゴムを２本以上使用して留める事が多い、しかし輪ゴムは互いに独立しているためずれ易く輪ゴムが外れてしまう場合もあり確実に固定維持できない。
【発明の開示】
【発明が解決しようとする課題】
【０００３】
このような複雑形状の包装物を留める場合は従来の一重輪ゴムでは時間もかかり、確実性に劣る。
本発明は以上の問題を解決するためになされたものである。
【課題を解決するための手段】
【０００４】
ゴム輪の輪のカット面に平行に切り込みを設けた二重輪ゴムで、複雑な形状をした包装物を結わえる場合に容易且つ確実に留めることができることを特徴とした二重輪ゴムである。
又、通常の一重状態の輪ゴムとしても使用できることを特徴とする二重輪ゴムである。
【発明の効果】
【０００５】
本発明は、複雑形状をした包装物等を容易且つ確実に留めることができる。
【発明を実施するための最良の形態】
【０００６】
以下本発明の実施の形態について説明する。
図１はゴム輪に平行に、双方向より切り込み7及び8を有する二重輪ゴムで、切り込みにより二重に分かれたそれぞれの半輪、1,2,3,4のそれぞれと、切り込みを有しない部分である結合部5及び6で構成されている。
【０００７】
図2はゴム輪に平行に切り込みを一方向に設けた輪ゴムで、二重に分かれた輪1及び2のそれぞれと、結合部5で構成されている。
【０００８】
図1の二重輪ゴムについての使用例を図３に示す。
結わえ物8は複雑な形状をしていて、通常の輪ゴムでは留めることはできないが、多重輪ゴムであればこの様に確実に留めることができる、留め方は通常の輪ゴム同様まず二重輪ゴムの半輪が互いに平行な状態で二重輪ゴム全体を掛け易い位置に留める、次に双方対輪する半輪1及び4か、或いは半輪2及び3を掴み結合部5及び6を中心としてそれぞれの半輪1、2、3、4が確実に留まる位置に留めることで容易に使用できる。
【産業上の利用可能性】
【０００９】
本発明の輪ゴムは複雑形状をした包装物を確実に留めることのできる二重輪ゴムを提供する。
【図面の簡単な説明】
【００１０】
【図１】本発明の斜視図
【図２】本発明の斜視図
【図３】本発明の使用状態を示す斜視図
【符号の説明】
【００１１】
1  半輪
2  半輪
3  半輪
4  半輪
5  結合部
6  結合部
7  切り込み
8  切り込み
9  輪
10  輪
11  結え物
【図１】
2010105665.tif 000003
【図２】
2010105665.tif 000004
【図３】
2010105665.tif 000005
(57)【要約】      （修正有）【課題】筆記具を個別に保持することで、任意の筆記具をすばやく取り出すことができ、筆記具同士がぶつかり合い、損傷を起こすこともなく、筆記具を捲いた状態で保持することで、収納スペースが小さくなり、シートを捲いた状態で凹凸状態になっているので、手で掴み易く、シートを開いたときには、筆記具の種別が一目瞭然でわかる。また、卓上から転げ落ちることもない。複数の筆記具を収納する収納具を提供する。【解決手段】柔軟性を有する樹脂などを主材とした長方形状の一のシートに、上面に連結部を設けた凹部を複数設け、シートの下面が連結部に対応した隙間部と凹部に対応した収納部を形成する。【選択図】図１
2010105374.tif 000002
【特許請求の範囲】
【請求項１】
柔軟性を有する樹脂などを主材とした長方形状の一のシートに、上面に連結部を設けた凹部を複数設け、シートの下面が連結部に対応した隙間部と凹部に対応した収納部が形成されたことを特徴とする筆記具収納具。
【発明の詳細な説明】
【技術分野】
【０００１】  本発明は、複数の筆記具を収納する収納具に関するものである。
【背景技術】
【０００２】  従来、筆記具の収納形態は、次のものに分類される。
▲１▼、筆箱に代表されるように、硬質のプラスチック又はレザーを主材にして、長方形の収納具の中に筆記具を収納し上部の蓋を開ける、又は側部に設けたファスナーを開いて内部の筆記具を取り出して使用するもの。
▲２▼、軟体のビニールや布などを主材にして筒状に形成した収納具に複数の筆記具を入れて、一端にファスナーを設け、必要時にそのファスナーを開いて、筆記具を取り出して使用するもの。
▲３▼、透明なポリプロピレン（Ｐ・Ｐ）を用いた収納具に、マーカーペンなど平面的に複数並べて、必要時、側部に設けた蓋を開いて、取り出して使用するもの。
▲４▼、一枚の帯状シートにポケットを設けて、そのポケットに複数の筆記具を入れて捲いた状態にして、必要時に開いて筆記具を取り出して使用するもの、などが一般的である。
【発明の開示】
【発明が解決しようとする課題】
【０００３】  以上、上記に示した収納具の欠点は、
▲１▼、一つの収納具に複数の筆記具をまとめて入れているので、任意の筆記具を取り出しにくい。
▲２▼、筒状体の収納具に於いては、筆記具がぶつかり合い、損傷を起こすことがあり、また、取り出しにくいこと。
▲３▼、筆箱やマーカーペンの収納具は横並びになるために、収納スペースが広くなり、収納具自体が大きくなり、携帯に不便である。
▲４▼、帯状シートに於いては、ポケットに筆記具をまとめて入れるので、巻いたとき嵩張り、また、筆記具を取り出すとき面倒である。
【課題を解決するための手段】
【０００４】  本発明は以上の問題点を解決するために、柔軟性を有する樹脂などを主材とした長方形状の一のシートに、上面に連結部を設けた凹部を複数設け、シートの下面が連結部に対応した隙間部と凹部に対応した収納部が形成されたことを特徴とする筆記具収納具である。
【発明の効果】
【０００５】  その結果、
筆記具が個別に保持されているので、任意の筆記具をすばやく取り出すことができる。
筆記具が個別に保持されているので、筆記具同士がぶつかり合い、損傷を起こすこともない。
筆記具を捲いた状態で保持されるので、収納スペースが小さくなり、バックなどに収納しやすい。
シートを捲くと凹凸状態になっているので、手で掴み易い。
シートを開いたとき、筆記具の種別が一目瞭然でわかる。また、卓上から転げ落ちることもない。
【発明を実施するための最良の形態】
【０００６】  以下、発明の実施の形態について説明する。
（Ａ）、柔軟性を有する樹脂などを主材として、長方形状の一のシート（１）を形成する。
（Ｂ）そのシート（１）は２ｍｍ〜３ｍｍの厚みを有し、上面に連結部（２）を設けて、等間隔に湾曲状の凹部（３）を横長に複数設ける。その結果、シート（１）の底部が連結部（２）に対応した隙間部（４）と凹部に対応した収納部（５）が形成される。
本発明は以上の構成からなる筆記具収納具であり、以下、使い方について説明する。
シート（１）を開いた状態で凹部（３）にそれぞれ筆記具（６）を収納する。その後、一方から捲いて丸めていく。出来上がった状態が図３に示すものである。
この図から分かるように、凹部（３）に筆記具（６）を置いてシート（１）を巻くと、筆記具（６）の厚みと隙間部（４）により、収納部（５）が花びらのように形成されて美しく、シート（１）をつかんだとき、収納部（５）が凹凸状態になっているので手で掴みやすい。
なお、捲かれたシート（１）が開かないように、両側に面ファスナー、ホック、磁石、紐等を用いることは当然であるが、本発明において、図４に示すように輪状の帯体（７）にシート（１）を挿入することも可能である。製造上の観点から考察すると、上記に記した面ファスナー、ホック等に代わり、帯体（７）を使用するのがコスト安にでき、幅広のカラフルな輪ゴム等を用いる。もちろん帯体（７）はフィルムや布地等を用いてもよい。【０００７】  このように構成した本発明をバック、背広のポケットなどに収納して必要時、シート（１）を取り出し広げると、色、種類別の複数の筆記具（６）を一目瞭然で見分けることができる。つまり、筆記具の選別時間が短時間でできる。
また、卓上に広げて置いていると、凹部（３）に筆記具（６）を置いているので作業中、手や腕が筆記具（６）に触れたとしても筆記具（６）が転がり落ちることもなく、しかも整然と並べられているので、使いやすいのである。
また、筆記具（６）を横並びに置き、その後、巻いた状態にしてバック等に入れて持ち運んでも、筆記具（６）がシート（１）内で移動をしないので、筆記具（６）の取り出しが簡単である。【０００８】  なお本発明について、第２実施例として連結部の中央部に筆記具の脱落防止片（８）を設ける。これによって筆記具（６）が落ち難くなる。【０００９】  第３実施例として各凹部に筆記具係止具（９）を加える事によって筆記具（６）がより落ち難い。【００１０】  第４実施例として収納部（５）を曲面にすると捲いた時花びら状に見えて美しいが、何角かに形成しても良い。
【産業上の利用分野】
【００１１】  なお、本発明は筆記具収納具について述べたが、この分野に限定するものではない。  彫刻刃、箸、フォーク、スプーン、菓子など棒状形態の物品に応用できることはいうまでもない。
【図面の簡単な説明】
【００１２】
【図１】本発明の斜視図
【図２】本発明の断面図
【図３】本発明の使用例を示した斜視図
【図４】本発明の実施例図
【図５】（イ）は本発明の他の実施例図  （ロ）は本発明の筆記具係止具の説明図
【符号の説明】
【００１３】１：シート
２：連結部
３：凹部
４：隙間部
５：収納部
６：筆記具
７：帯体
８：脱落防止片
９：筆記具係止具
【図１】
2010105374.tif 000003
【図２】
2010105374.tif 000004
【図３】
2010105374.tif 000005
【図４】
2010105374.tif 000006
【図５】
2010105374.tif 000007
(57)【要約】【課題】  防災バックを販売した後、そのまま放置されている場合がほとんどであり、販売した側も十分なアフターフォローを行っていない状態であった。  そのため、気が付いた時には防災バック内の非常食の賞味期限が切れていたり、電池の使用期限が切れていたため、実際には使用出来なかったという声も多かった。  この問題を解決するために従来の賞味期限・使用期限管理技術を加える必要があるが、今回は段階に分けてアラームの指示を出せるようにする必要がある。そして、防災バックの期限付き商品を効果的に顧客へ発送する必要があるため、複数の交換時期の良いタイミングを知らせる必要がある。【解決手段】  防災バック内の賞味期限・使用期限付き商品を管理する事により、それらの商品の期限が切れる３ヶ月前・２ヶ月前・１ヶ月前にそれぞれ知らせる防災バックの商品管理システムとする。また、複数の商品の効果的な交換時期を割り出す。商品入庫時にその賞味期限・使用期限を入力し、それぞれアラームで知らせるように設定する。複数の交換時期が近くで重なる時にはそれを知らせる。【特許請求の範囲】
【請求項１】
収納商品の賞味期限・使用期限の一覧の表示手段が設けられていることを特徴とする防災バッグ。
【請求項２】
収納商品の賞味期限・使用期限が近づくと、音、光、文字・図形表示などで警告を発する警報手段が設けられていることを特徴とする防災バッグ。
【請求項３】
防災バッグの購入者情報、収納商品情報を管理し、その収納商品の賞味期限・使用期限に応じて、交換商品及び交換予定日を算出し、購入者に通知することを特徴とする防災バッグの賞味期限及び使用期限管理システム。
【請求項４】
防災バックの賞味期限・使用期限が迫った時に、３ヶ月前・２ヶ月前・１ヶ月前それぞれを知らせる通知手段が設けられていることを特徴とする防災バッグの賞味期限及び使用期限管理システム。
【請求項５】
防災バッグ内の各収納商品の更新日時を管理し、最適な送付日時を割り出すことを特徴とする防災バッグの賞味期限及び使用期限管理システム。
【発明の詳細な説明】
【技術分野】
【０００１】  本発明は、防災用バッグの賞味期限及び使用期限管理システムに関するものである。
【背景技術】
【０００２】  防災バックを販売した後、そのまま放置されている場合がほとんどであり、販売した側も十分なアフターフォローを行っていない状態であった。【０００３】  そのため、気が付いた時には防災バック内の非常食の賞味期限が切れていたり、電池の使用期限が切れていたため、実際には使用出来なかったという声も多かった。【０００４】  この問題を解決するために従来の賞味期限・使用期限管理技術を加える必要があるが、今回は段階に分けてアラームの指示を出せるようにする必要がある。そして、防災バックの期限付き商品を効果的に顧客へ発送する必要があるため、複数の交換時期の良いタイミングを知らせる必要がある。【０００５】  従来の賞味期限管理システムでは、単一の商品の賞味期限もしくは使用期限を知らせるものだが、本発明は複数の賞味期限・使用期限を効果的に知らせる面で異なる。【０００６】  防災用バックにおいて、賞味期限及び使用期限を管理するシステムはなかった。
【特許文献１】特開２００７−１５６５７９号公報
【特許文献２】特開２００５−１２２２４９号公報
【特許文献３】特開２００４−１３３５０６号公報
【発明の開示】
【発明が解決しようとする課題】
【０００７】  解決しようとする問題点は、防災バックに収納された商品の管理は行われないので、使用の際に賞味期限が切れてしまっていた、電池が切れていて使えなかったなどの問題があった。【０００８】  本発明は、上記の問題を解決するために、防災バックの収納商品の賞味期限・使用期限を管理し、購入者に知らせ、交換することを可能とする防災バックの賞味期限・使用期限管理システムを実現するものである。
【課題を解決するための手段】
【０００９】  本発明により、防災バック内の賞味期限付き商品や使用期限付き商品の期限が来る前に、交換を促す指示が出され、いつでも万全の状態を保てる。【００１０】  入庫時に賞味期限付き商品・使用期限付き商品を登録し、それぞれの期限を入力する事により、期限３ヶ月前・２ヶ月前・１ヶ月前にそれぞれ交換の指示と確認ができる。【００１１】  また、３ヶ月前・２ヶ月前・１ヶ月前のそれぞれの指示が出る事により、新品の商品の準備・送付・顧客への確認がスムーズに行えるようになる。
【発明の効果】
【００１２】  本発明は以下のような効果を奏する。
１）防災バック内の商品の期限切れを防止できる。
２）在庫の賞味期限・使用期限を管理出来る。
３）顧客の交換履歴等を管理出来る。
【発明を実施するための最良の形態】
【００１３】  本発明の実施の形態について、一例を以下に示す。
１）防災バッグは、防水加工の施されたリュックサックタイプとなっている。【００１４】２）防災バッグに収納する商品としては、例えば、非常食・水・懐中電灯・ラジオ・電池・ホッカイロ・ラップ・アルミホイル・使い捨て皿・使い捨てフォーク・使い捨てスプーン・コップ・ロープ・ボトル・キャンドル・ライター・ホイッスル・アルミブランケット・ファーストエイドキット（絆創膏・カット綿・綿棒・ガーゼ・ウェットティッシュ・頭痛薬・傷薬・湿布）ビニール袋・ポリ袋・軍手等が使用できる。【００１５】  防災バッグに、収納商品の一覧が示された表示カードが貼付されている。この表示カードには賞味期限・使用期限も表示されている。【００１６】  また、防災バッグに、液晶画面などの表示画面を設け、上記の収納商品の中で賞味期限・使用期限が１ヶ月以内となったものを自動的に一覧表示し、点滅するようにしても良い。【００１７】  防災バック内の収納商品の賞味期限・使用期限の管理は、防災バックを提供する事業者において、
１）防災バックの購入者情報
２）収納商品情報
３）賞味期限・使用期限情報
４）交換予定日情報（１ヶ月前、２ヶ月前、３ヶ月前）
５）交換管理情報（交換完了日情報）
６）追加商品情報
以上の情報をコンピュータに入力し、防災バックの賞味期限・使用期限管理システムで管理する。【００１８】  この期限管理システムでは、防災バック内の収納商品の賞味期限・使用期限が３ヶ月、２ヶ月、１ヶ月以内となったかどうかを商品毎に算出し、購入者ごとに一覧データとして、記録・管理する。【００１９】  本期限管理システムは、賞味期限・使用期限が近づいた商品については、
１）購入者名
２）購入者住所
２）商品名
３）交換予定日
４）費用
などを購入者ごとに一覧表示で出力する。この一覧表を印刷し、各々の購入者に交換通知書として通知する。通知の方法は、郵送、ＦＡＸ、メールなど、通知できる方法であればいずれでも良い。【００２０】  購入者は、交換通知書を確認し、必要に応じて商品の交換を事業者に支持する。【００２１】  交換の支持を受けた事業者は、交換商品を購入者に発送する。【００２２】  購入者は期限商品を交換し、交換済を事業者に通知する。【００２３】  事業者は、交換日時を防災バックの賞味期限・使用期限管理システムに入力し、交換日時を更新する。
(57)【要約】      （修正有）【課題】携帯性、入力能率、柔軟性に優れた電子機器用入力インターフェイス装置を提供する。【解決手段】指先に取り付けた、或いは手に持った画像認識装置を、使用者が入力情報としたい文字やキャラクター図などに近接させ、文字単位や単語単位もしくはキャラクター単位等で読み取り電子機器の入力情報とする、電子機器入力用ユーザーインターフェイス装置。シートなどに表示されている文字や単語もしくはキャラクター図などを、指先に取り付けた、或いは手に持った画像認識装置を近接させて読み取りそのデータを電子機器の入力情報とする。【選択図】図１
2010108465.tif 000002
【特許請求の範囲】
【請求項１】
指先に取り付けた、或いは手に持った画像認識装置を、使用者が入力情報としたい文字やキャラクター図などに近接させ、文字単位や単語単位もしくはキャラクター単位等で読み取り電子機器の入力情報とする、電子機器入力用ユーザーインターフェイス装置。
【請求項２】
機能切り換え機構が設けられた「請求項１」の電子機器入力用ユーザーインターフェイス装置。
【発明の詳細な説明】
【技術分野】
【０００１】この発明は、携帯性、入力能率、柔軟性に優れた電子機器の入力ユーザーインターフェイス装置に関するものである。
【背景技術】
【０００２】コンピューターの発達により携帯に便利な小型電子機器が増加しているが、それら機器のための従来型入力ユーザーインターフェイス装置は、小型だと入力能率と操作性が悪く、入力能率の高いものは携帯するには大き過ぎた。また同じ装置で多様な言語やキャラクター等の入力に対応出来にくい欠点が有った。
【発明の開示】
【発明が解決しようとする課題】
【０００３】本発明の課題は携帯性と入力能率に優れ、多くの言語やキャラクター図などの多様な情報の入力にも柔軟に対応できる電子機器用入力ユーザーインターフェイス装置の提供である。
【課題を解決するための手段】
【０００４】指先に取り付けた、或いは手に持った画像認識装置を文字或いは単語文字もしくはキャラクター図等に近接させて文字単位、単語単位、或いはキャラクター単位で読み取り、その情報を電子機器に入力する。
【発明の効果】
【０００５】１．携帯が容易。
２．入力能率と操作性の高い装置を製造可能。
３．多くの言語、キャラクター図など多様な情報入力に柔軟に対応出来る。
３．書物や様々なディスプレー装置等からの入力も比較的容易。
４．障害者用入力装置として優れる。
【実施例】
【０００６】「図１」は人の指先に小さな画像認識装置を取り付けた構造の本発明実施例である。「図１」において文字シート１には電子機器入力に必要な文字情報や機能を表す単語、或いはキャラクターが印刷されている。使用者の左手２と使用者の右手２６の指先には画像認識装置Ａ３〜１２が装着されている（必ずしも１０本の指に装着される必要はない、少ないのが望ましい場合は数本、或いは１本でも可）。また集合信号ケーブルＡ２３、２４は電子機器に接続されていて、画像認識装置Ａ３〜１２の出力は、信号ケーブルＡ１３〜２２、信号ケーブル収納部Ａ２５又は信号ケーブル収納部Ｂ２７、集合信号ケーブルＡ２３又は集合信号ケーブルＢ２４を通って電子機器へ出力される。尚、「図１」の３〜２５、２８〜３５の構成を手袋のようなものに取り付け纏めた構造にすれば取扱が容易である。「図１」の装置を使うには、指先に取り付けられた画像認識装置Ａ３〜１２のどれかを文字シート１上の文字や単語あるいはキャラクター等に近接させてその情報を読み取る。尚、画像認識装置Ａ３〜１２の一つひとつにスイッチなどの近接検出デバイスを設けて接近を検出した時に読みとり動作を行うようにすれば読み取りが容易である。【０００７】「図２」は本発明をペン型で実現した場合の実施例であり、この方式は小型化のために有効である。「図２」において、握り部３４の一端には画像認識装置Ｂ２８と近接検出器３５が設けられている。また握り部３４の中程には数個の機能切り換え器２９〜３２があるが、これは必ずしも必要ではない。入力操作は、画像認識装置Ｂ２８の画像読み取り部を文字などに押しつける。すると接近検出器３５により近接が検出されそのタイミングで情報が読み取られる。読み取られた情報は信号ケーブルＢ３３を経て電子機器へ出力される。尚、機能切り換え器２９〜３２は指で操作でき、「ｓｈｉｆｔ」、「ｃｏｎｔｒｏｌ」等、特定の機能を割り当てることで好ましい操作性が得られる。また、画像読み取り部で文字列をなぞることにより連続して文字が読み取れる様にすれば、高能率で書物の文を電子機器に入力出来る。
【産業上の利用可能性】
【０００８】小型電子機器入力用ユーザーインターフェイスとして入力能率と携帯性が共に優れたものを製造できるのでモバイル機器発展に大きな効果が期待が出来る。
【図面の簡単な説明】
【０００９】
【図１】キーボードのように使える本発明実施例の説明図
【図２】ペン型構造の本発明の実施例を示した斜視図
【符号の説明】
【００１０】  １は文字シート                      ２は使用者の左手
３〜１２は画像認識装置Ａ          １３〜２２は信号ケーブルＡ
２３は集合信号ケーブルＡ            ２４は集合信号ケーブルＢ
２５は信号ケーブル収納部Ａ          ２６は使用者の右手
２７は信号ケーブル収納部Ｂ          ２８は画像認識装置Ｂ
２９〜３２は機能切り換え器          ３３は信号ケーブルＢ
３４は握り部                        ３５接近検出器
【図１】
2010108465.tif 000003
【図２】
2010108465.tif 000004
(57)【要約】【課題】  携帯機器のディスプレイ表面を直接に手で触れて操作すれば、ディスプレイ表面が汚れてしまうと云う課題を有していた。【解決手段】  本発明の携帯機器の装着器具は、ディスプレイ面の一部あるいは全部を覆うカバー部分を有し、前記カバー部分は透明であり、前記カバー部分のディスプレイ表面に対向する面に導電性透明薄膜を有する。これにより、ディスプレイ表面の汚れを防止しながら、携帯機器を操作できる。【選択図】図１
2010108464.tif 000002
【特許請求の範囲】
【請求項１】
タッチパネル機能を備えたディスプレイを有する携帯機器に装着する器具であって、前記ディスプレイ面の一部あるいは全部を覆うカバー部分を有し、前記カバー部分は透明であり、前記カバー部分の前記ディスプレイ表面に対向する面に導電性透明薄膜を有する事を特徴とする携帯機器の装着器具。
【請求項２】
前記導電性透明薄膜はＩＴＯから成る請求項１に記載の携帯機器の装着器具。
【請求項３】
前記カバー部分は、少なくとも前記ディスプレイ面に設定された十字形ボタンおよび２つの略円形ボタンを覆う請求項１に記載の携帯機器の装着器具。
【発明の詳細な説明】
【技術分野】
【０００１】  本発明は、携帯機器の装着器具に関するものである。
【背景技術】
【０００２】  タッチパネル機能を備えるディスプレイを有し、操作性を向上した携帯機器の普及が著しい。例えば、アップル社のｉＰｈｏｎｅが発売され、電話、インターネット接続、ゲームなどに利用されている。【０００３】  ｉＰｈｏｎｅに対応するゲームでは、ゲームの対象物を上下左右に移動させる十字形ボタン（クロス）および何らかの動作をさせる２つのボタン（例えばＡボタンおよびＢボタン）をディスプレイ上に設定する。ディスプレイ表面には静電検知型のタッチパネル機能が備えられ、ｉＰｈｏｎｅの利用者は指でそれらのクロス、Ａボタン、Ｂボタンを押しながらゲームを楽しむ。
【発明の開示】
【発明が解決しようとする課題】
【０００４】  しかしながら、携帯機器のディスプレイ表面を直接に手で触れて操作すれば、ディスプレイ表面が汚れてしまう。【０００５】  本発明は、前記の課題を解決するもので、携帯機器の操作性を損なわず、かつ、ディスプレイ表面の汚れを防止できる携帯機器の装着器具を提供する事を目的とする。
【課題を解決するための手段】
【０００６】  前記従来の課題を解決するために、本発明の携帯機器の装着器具は、ディスプレイ面の一部あるいは全部を覆うカバー部分を有し、前記カバー部分は透明であり、前記カバー部分のディスプレイ表面に対向する面に導電性透明薄膜を有する事を特徴とする。この事により、ディスプレイ表面の汚れを防止しながら、携帯機器を操作できる。【０００７】  好ましくは、前記導電性透明薄膜はＩＴＯから成る。この事により前記カバー部分を手で押す事で、ディスプレイ表面に設定されたボタンを押す事ができる。【０００８】  好ましくは、前記カバー部分は、少なくとも前記ディスプレイ面に設定された十字形ボタンおよび２つの略円形ボタンを覆う。この事により一般にゲームを進行させるボタンを押す事ができる。
【発明の効果】
【０００９】  本発明の携帯機器の装着器具によれば、携帯機器の走査性を損なわず、かつ、ディスプレイの汚れを防止できる携帯機器の装着器具を提供できる。
【発明を実施するための最良の形態】
【００１０】  本発明の実施形態を図面を参照して説明する。図１は、携帯機器および装着器具を示す図である。図１において、１０は本発明の携帯機器の装着器具である。１１は携帯機器、１２はディスプレイである。図１ではゲームを表示する例を示し、１３は表示されたゲームの対象物である。図１４はゲームで設定された十字形のボタン（クロス）であり、対象物１３を上下左右に移動させる。また、１５および１６は対象物１３に何らかの動作をさせるゲームで設定されたＡボタンおよびＢボタンである。例えば、Ａボタンは対象物１３を飛び上がらせ、Ｂボタンは対象物１３を早く走らせる。【００１１】  図１では携帯機器１１に装着器具１０を装着している。装着器具１０は、携帯機器１１に適切に装着させれば、ディスプレイを覆うカバー部分は、少なくともクロスボタン１４、Ａボタン１５、およびＢボタン１６を覆う形状を持つ。それらのカバー部分は透明であり、カバー部分を通してディスプレイを見る事ができる。【００１２】  カバー部分は、例えばプラスチックから成り弾力性を有し、カバー部分の上からクロスボタン１４、Ａボタン１５、およびＢボタン１６を押せば、タッチパネル機能が働く必要がある。そのために、カバー部分のディスプレイに対向する面には導電性透明薄膜を設けておく。手でカバー部分を押す事で導電性透明薄膜とディスプレイ表面が接触してタッチパネルが機能する。ディスプレイ表面を手で触れることと同じ効果を生じ、ボタンを押してゲームを進行させる事ができる。【００１３】  前述の導電性透明薄膜としては、液晶ディスプレイに用いられるＩＴＯ（Ｉｎｄｉｕｍ  Ｔｉｎ  Ｏｘｉｄｅ）を用いてもよい。【００１４】  本発明の携帯機器の装着器具は、使用しない時は、携帯機器から容易に取り外す事ができ、保管しておく事ができる。【００１５】  以上に開示した実施形態は、本発明の一例を示したに過ぎず、本発明はこの実施形態により制限的に解釈されない。本発明の範囲は上記の実施形態だけではなく、特許請求の範囲によって示され、特許請求の範囲と同等の意味および範囲内のすべての変更が含まれる。
【産業上の利用可能性】
【００１６】  本発明の携帯機器の装着器具は、ディスプレイ上にタッチパネルを有する携帯機器のアクセサリーとして有用である。
【図面の簡単な説明】
【００１７】
【図１】  本発明の装着器具を携帯機器に装着した図。
【符号の説明】
【００１８】１０    本発明の携帯機器の装着器具
１１    携帯機器
１２    ディスプレイ
１３    ゲームの対象物
１４    クロスボタン
１５    Ａボタン
１６    Ｂボタン
【図１】
2010108464.tif 000003
(57)【要約】【課題】  物の角や溝、隙間など磨きにくい場所を、簡単に手の器用な動きを生かして磨ける、掃除用ブラシ付きゴム手袋を提供する。【解決手段】  ゴム手袋の指袋部の上面に、ゴム板材からなる長楕円形状の基台を第２関節部より指先方向に設け、その基台の上面にブラシを設けたことを特徴とする掃除用ブラシ付きゴム手袋。【選択図】図１
2010255155.tif 000002
【特許請求の範囲】
【請求項１】
ゴム手袋の指袋部分上面の第２関節部より指先方向に向かって、ゴム板材からなる長楕円形状の基台を設け、その基台の上面にブラシを設けた掃除用ブラシ付きゴム手袋。
【発明の詳細な説明】
【技術分野】
【０００１】  本発明は掃除に必要なブラシとゴム手袋が一体化した掃除用ブラシ付きゴム手袋に関するものである。
【背景技術】
【０００２】  従来、ゴム手袋を手にはめて、タワシなどを持って掃除していた。
なお、手袋の指先の先端部下側にブラシ部を設けて、歯や歯茎を磨くものが知られている。（特許文献１参照）。
【先行技術文献】
【０００３】
【特許文献１】  実用新案登録第３０４４６４５号公報
【発明の概要】
【発明が解決しようとする課題】
【０００４】  そのために、次のような問題点があった。
風呂場や床面を磨くタワシは、硬質プラスチック又は木製の基台の下面にブラシ部を設ける構造になっている。そのために基台やブラシ部分が角部や隙間に入りこまない。この結果掃除しにくい場所があった。
本発明は、以上の問題点を解決するためになされたものである。
【課題を解決するための手段】
【０００５】  ゴム手袋の指袋部の上面に、ゴム板材からなる長楕円形状の基台を設け、その基台の上面にブラシを設ける。基台は指袋の第２関節部より指先方向に設ける。
以上を特徴とする掃除用ブラシ付きゴム手袋である。
【発明の効果】
【０００６】  従来磨きづらかった物の角や、溝や隙間のある場所を、指先や指の器用な動きを生かすことにより磨くことができる。また、指袋部の上部にブラシを設けることにより、手を握ったときの手の甲の裏の部分でタワシのように磨けるようになる。手のひらの部分ではゴム手袋をはめたまま物を持ち運びすることも可能である。
【図面の簡単な説明】
【０００７】
【図１】  本発明の斜視図
【図２】  本発明の使用状態の斜視図
【図３】  本発明の要部拡大斜視図
【図４】  本発明の使用状態の斜視図
【発明を実施するための形態】
【０００８】  以下、本発明の実施の形態について説明する。
（イ）ゴム手袋（１）の指袋部（２）の上面にゴム板材からなる長楕円形状の基台（３）を設ける。
（ロ）基台（３）の上部にブラシ部（４）を設ける。
（ハ）基台（３）は、指袋部（２）の第２関節部（５）より指先方向に設ける。
本発明は以上のような構成で、これを使用するときは、第２関節部（５）から指先にかけてブラシ部（４）があるので、手を握って手の甲の裏側にきたブラシ部（４）全体を使って磨く。また指先の方のブラシ部（４）で物の角や溝の部分も指の器用な動きを利用して磨ける。
【符号の説明】
【０００９】  （１）ゴム手袋、（２）指袋部、（３）基台、（４）ブラシ部、（５）第２関節折り曲げ部
【図１】
2010255155.tif 000003
【図２】
2010255155.tif 000004
【図３】
2010255155.tif 000005
【図４】
2010255155.tif 000006
(57)【要約】      （修正有）【課題】社会生活上公衆との直接接触を防止し、細菌の感染を防止する。【解決手段】社会生活上公衆と接触するのは、手と指であり、これを防菌することにより細菌の感染を防止するものである。【選択図】図２
2010255156.tif 000002
【特許請求の範囲】
【請求項１】
服の袖の先端に手先を防菌する防菌部を有する服。
【発明の詳細な説明】
【技術分野】
【０００１】本発明は社会活動のおける、細菌の感染を防止するものである。
【背景技術】
【０００２】従来社会活動のおいて、公衆と接触する機会があり、細菌に感染する恐れがあった、その対策として事後に消毒液、石鹸、水または温水により消毒、洗浄を行っていた。
【発明の開示】
【発明が解決しようとする課題】
【０００３】この発明は上記の欠点を除去し、細菌との接触感染を防止するため、手や指と公衆との接触を遮断することを目的とする、この発明により、公衆との接触後の手や指の消毒  洗浄を省略できるものであり、消毒液  石鹸  水  の省資源に貢献できるものである。
図  １は従来の服であり、男性用服を代表として表示している。図  ２はこの発明による防菌服であり、▲イ▼は従来の袖口である、この袖口にこの発明による防菌部▲ロ▼を付加したものであり、図示の通り必要時には防菌部を延伸し、公衆と手や指の間を遮断し、細菌の感染を防止する、図  ３は防菌の必要がない場合は、防菌部▲ロ▼を袖口▲イ▼に収納できるものとする。
【課題を解決するための手段】
【０００４】この発明の課題は、防菌素材の選択であり、いかにかさばらない素材を使用するかである、袖口に重量感の少ない素材を選択する。
【発明の効果】
【０００５】この発明により、公衆からの細菌感染を防止し、公衆衛生の向上に貢献するとともに、消毒液  石鹸  水  の省資源化が図れるものである。
【発明を実施するための最良の形態】
【０００６】広く社会に告知し、この発明の活用に努める。
【図面の簡単な説明】
【０００７】
【図１】は従来の服であり男性用服を代表として表示している。
【図２】はこの発明による防菌服であり、▲イ▼の袖口に防菌部▲ロ▼を付加している、必要時▲ロ▼の防菌部を図示の通り延伸し、手や指を細菌から防護する。
【図３】は防菌の必要がない場合は、防菌部▲ロ▼を袖口▲イ▼に折りたたんで収納しておく。
【符号の説明】
【０００８】  ▲イ▼は服の袖口である。
▲ロ▼はこの発明による防菌部である。
【図１】
2010255156.tif 000003
【図２】
2010255156.tif 000004
【図３】
2010255156.tif 000005
(57)【要約】【課題】水の重さと地球の重力と滑車の原理を利用し電力を供給する。【解決手段】電力を使用する場所で電力を生産する。【選択図】図１
2010255614.tif 000002
【特許請求の範囲】
【請求項１】
水の重さと地球の重力を利用し永久的に水を循環させ発電機を回転させ電力を作りだす。
【発明の詳細な説明】
【技術分野】
【０００１】水と地球の重力による水の流れ。
【発明の開示】
【発明が解決しょうとする課題】
【０００２】上部から一度落下した水を再び上部へ戻す。
【課題を解決するための手段】
【０００３】水の重さと地球の重力そして  滑車の原理を利用した。
【発明の効果】
【０００４】外部の力を一切使わず電力を供給できる。
【発明を実施するための最良の形態】
【０００５】地球の化石燃料使用せず  図１・図２・図３  水の重さ地球の重力・滑車の原理を利用してエネレギーを確保する。
【産業上の利用可能性】
【０００６】住宅敷地内に永久発電装置を設置し各家庭独自で電力を供給する。又共同住宅〈マンション〉では、共有敷地内でこの永久発電装置を設置し各家庭に電力を供給する。
そして、生産工場では工場使用電力の供給にも永久発電装置を設置し生産電力を独自で賄います。
【図面の簡単な説明】
【０００７】
【図１】  本発明装置図
【符号の説明】
【０００８】  １  …  発電機
２  …  固定容器
３  …  移動容器
４  …  移動容器
５  …  ゴムタンク
６  …  滑車
７  …  ワイヤー
８  …  配管
９  …  可動弁
１０  …  バッテリー
１１  …  電球
１２  …  磁石
【図１】
2010255614.tif 000003
(57)【要約】【課題】太陽熱や地中熱等の自然エネルギーを、簡素で安価な熱交率の良いシステムとして、施設の冷暖房や給湯、融雪に利用することを課題とする。【解決手段】一般市場の太陽熱集熱器に代わる簡素で、現地取付が容易な太陽集熱板と太陽熱搬送用パイプを設ける。また、一般市場の蓄熱槽に代わる蓄熱槽を土壌に替えて、再生可能なエネルギーを利用することで課題の解決手段とする【選択図】図１
2010255963.tif 000002
【特許請求の範囲】
【請求項１】
太陽熱、地中熱の自然エネルギーを利用した施設のシステム
【請求項２】
請求項１の太陽熱、地中熱利用施設のシステムに、必要に応じて予備として人工熱源機を組み合わせて、異常気象時への対応を出来る自然エネルギーを利用した施設のシステム
【発明の詳細な説明】
【技術分野】
【０００１】本発明は太陽熱や地中熱等の自然エネルギーを利用する施設の冷暖房や給湯、融雪システムのコスト削減、また光熱費削減に関するものである。
【背景技術】
【０００２】近年、太陽熱や地中熱、風力等の自然エネルギー（いわゆる再生可能なエネルギー）を利用したシステムが研究され、具体的な装置やシステムが数多く提案されている。【０００３】
【特許文献１】  特開２００２−８１７６３号公開
【発明の開示】
【発明が解決しようとする課題】
【０００４】従来上記文献のように設置利用される多くの太陽熱集熱装置は、高価で且つ降雪の多い地域では集熱パネルの覆い板が平らな為、雪が長い間落ちにくいことからも効率的では無く問題があった。また、備え付けられる蓄熱槽も高価でコスト面でも必ずしも良好とは言えるものではないことから、解決しなければならない課題である。
【課題を解決するための手段】
【０００５】上記課題を解決するため本発明は、降雪時の積雪を考慮したドーム状の骨子に透光性の覆いを設けて、その内側に簡素で安価な太陽集熱板と太陽熱搬送用パイプを設けることでコスト削減の手段とする。【０００６】本発明は地表から外気の影響を受けにくい浅部帯の土壌を蓄熱槽として利用することで、備え付けの蓄熱槽を必要としない。また、温冷熱の過不足時に蓄熱槽からの採熱利用することでコスト削減及び光熱費削減の手段とする。
【発明の効果】
【０００７】本発明は課題を解決するための手段に記述したドーム状の覆い上には雪が積もりにくく、太陽光を効率的に利用できるもので大きな効果となる。また、自然の蓄熱体としての能力を持つ土壌利用ではコスト及び光熱費の大きな削減効果となる。
【発明を実施する最良の形態】
【０００８】以下添付図面に基づいて本発明の最良の形態を一例として例えれば、農業用ハウス利用で説明する。ドーム状の覆い１の内側に、太陽熱集熱板２と太陽熱搬送用パイプ３を設ける。また、地中熱交換用パイプ４と、さらに太陽熱、地中熱の放熱用パイプ５を設ける。以上の３と４と５の個々の自然エネルギー搬送用のパイプを弁（例として三方弁等）で連結し、最良の位置に熱媒体循環ポンプ６を設け自然エネルギー利用の最良の形態とする。また、異常気象時の対応として、必要に応じ、人工熱源機を組み合わせることも出来るシステムの形態である。
【図面の簡単な説明】
【０００９】
【図１】本発明の実施形態の断面図である。
【符号の説明】
【００１０】１  覆い
２  太陽熱集熱板
３  太陽熱搬送用パイプ
４  地中熱交換用パイプ
５  太陽熱・地中熱放熱用パイプ
６  熱媒体循環ポンプ
【図１】
2010255963.tif 000003
(57)【要約】【課題】  エネルギー効率を良くする課題は、エネルギーを多く取り出す点である。【解決手段】  本発明は、受圧面積を多くしてエネルギーを多く取り出す点である。【選択図】    図２
2010255588.tif 000002
【特許請求の範囲】
【請求項１】
回転軸を水平面たいして傾斜させた回転軸にプロペラを設けて成る風力回転体。
【請求項２】
回転軸を水平面たいして傾斜させ、請求項1の回転軸の周囲に複数個の回転羽根、回転翼を設けて成る風力回転体。
【請求項３】
回転軸を水平面に設け、その回転軸と偏芯して請求項１又は請求項２の回転軸を設けてなる風力回転体。
【請求項４】
風力に抗する回転羽根、回転翼、プロペラ、等に風の流れを誘導する、遮蔽板を設けて成る風力回転体。
【請求項５】
風力に抗する回転羽根、回転翼、プロペラ、等の回転体の周囲に風の流れを調整する遮蔽する網、又は抵抗体を設けて成る風力回転体。
【請求項６】
請求項１，請求項２、請求項３，請求項４、請求項５、記載の回転体を複数係合して、設けて成る風力回転体。
【発明の詳細な説明】
【技術分野】
【０００１】
本発明は、風力に依る回転する回転体にかんするものである。
【背景技術】
【０００２】
現在エネルギー効率の高度化は必要に迫われている。
【０００３】
しかし、風より回転力を有効に取り出す事が出来ないという欠点があった。
【０００４】
この改善策として、回転軸を傾け受圧面積を多くして回転力と変換して成る事を特徴とする回転体。
【発明の開示】
【発明が解決しようとする課題】
【０００５】
解決しようとする問題点は、受圧面積を多くしてエネルギーを多く取り出す点である。
【課題を解決するための手段】
【０００６】
本発明は、回転軸を傾斜させることを最も主要な特徴とする。
【発明の効果】
【０００７】
本発明の風力回転体に受ける正面面積は多くなり、回転力が必然的に多く取りだせる利点がある。
【実施例１】
【０００８】
図１は、本発明の１実施例の断面図であって、回転軸４を水平面にたいして傾斜させた回転軸４にプロペラ２を設けて成る風力回転体に風が当り回転力を発生させものである。
【実施例２】
【０００９】
図２は、本発明の２実施例の断面図であって、回転軸４を水平面にたいして傾斜させた回転軸４にプロペラ２を設け周囲に複数個の回転羽根、回転翼（クロス型、サポニウス型）３を設けて風力誘導板５を設け、風により回転力を発生させものである。
【実施例３】
【００１０】
図３は、本発明の４実施例の断面図であって、  回転軸４を垂直に設け、その回転軸４の上部,下部に円錐又は多角錐の遮蔽板６を設け、風を回転翼の中心に流し回転力となる風力回転体。
【実施例４】
【００１１】
図５は、本発明の５実施例の図であって、回転翼の周囲に支柱１１を立て網12を配置し、風速の低いときは抵抗が低く、風速の早いときは抵抗が大きくなり、回転翼に加わる風力コントロールとなる風力回転体。
【産業上の利用可能性】
【００１２】
風力発電などの動力源として効率の良い回転源となる。又本発明は、気体、液体、固体（たとえば粉体）などの流体にも使用出来るもので、動力取り出しに有効な発明である。
【図面の簡単な説明】
【００１３】
【図１】風車に当る風の流れを示した説明図である。（実施例１）
【図２】風車の実施方法を示した説明図である。（実施例２）
【図３】風車の実施方法を示した説明図である。（実施例４）
【図４】風車に当たる風の流れを示した説明図である。
【図５】本発明の全体を表した図である。
【符号の説明】
【００１４】
２    プロペラ
３    翼
４    軸
５    風力誘導板
６    遮蔽板
８    発電機
【図１】
2010255588.tif 000003
【図２】
2010255588.tif 000004
【図３】
2010255588.tif 000005
【図４】
2010255588.tif 000006
【図５】
2010255588.tif 000007
(57)【要約】【課題】手摺全体を見て帯状に発光させることにより視認性を向上させることのできる手摺装置を提供する。【解決手段】長尺状の芯材１の少なくとも上面に長さ方向全長に亘って光反射層２を設け、この芯材１の全長に亘って芯材１周りを覆うように透明な樹脂被覆体３が設けられ、樹脂被覆体３の長さ方向の両端には発光ダイオードが配設されている。【選択図】図１
2010255319.tif 000002
【特許請求の範囲】
【請求項１】
長尺状の芯材の少なくとも上面に長さ方向全長に亘って光反射層を設け、この芯材の全長に亘って芯材周りを覆うように透明な樹脂被覆体が設けられ、樹脂被覆体の長さ方向の両端には発光ダイオードが配設されていることを特徴とする手摺装置。
【発明の詳細な説明】
【技術分野】
【０００１】
本発明は、夜間において発光する機能を備えた手摺装置に関するものである。
【背景技術】
【０００２】
従来のこの種手摺としては、例えば特許文献１に開示されているような、芯材とこの芯材に被せられる合成樹脂被覆材とこの合成樹脂被覆材と芯材の間に配設された紫外線発光ダイオードとからなり、前記合成樹脂被覆材は内層と外層からなり、外層には蓄光剤が配設され、内装は透光性の合成樹脂からなり、前記紫外線発光ダイオードは、間欠点灯するようになされた発光手摺が知られている。
【先行技術文献】
【特許文献】
【０００３】
【特許文献１】特開２００６−１６１３８３号公報
【発明の概要】
【発明が解決しようとする課題】
【０００４】
上記特許文献１に開示されている発光手摺は、合成樹脂被覆材と芯材の間に紫外線発光ダイオードが適当間隔おきに配設されるものと考えられ、夜間において紫外線発光ダイオード付近で発光し、手摺全体を見ると点状に発光されるようになる。そのため、視認性に問題があった。
【０００５】
本発明の目的は、このような課題を解決するものであり、手摺全体を見て帯状に発光させることにより視認性を向上させることのできる手摺装置を提供することにある。
【課題を解決するための手段】
【０００６】
本発明の請求項１に記載の手摺装置は、長尺状の芯材の少なくとも上面に長さ方向全長に亘って光反射層を設け、この芯材の全長に亘って芯材周りを覆うように透明な樹脂被覆体が設けられ、樹脂被覆体の長さ方向の両端には発光ダイオードが配設されていることを特徴とする。
【発明の効果】
【０００７】
以上のように、本発明の手摺装置は、長尺状の芯材の上面に長さ方向全長に亘って光反射層を設け、この芯材の全長に亘って芯材周りを覆うように透明な樹脂被覆体が設けられ、樹脂被覆体の長さ方向の両端には発光ダイオードが配設されている構成となっているので、発光ダイオードで発する光が樹脂被覆層の中を光反射層を反射しながら通り、光反射層を小さい角度で反射した光が樹脂被覆層より外部に出るようになり、手摺全体を見た場合、手摺の長さ方向の全長に亘って光が帯状に発せられ、視認性を向上させることができる。
【図面の簡単な説明】
【０００８】
【図１】本発明の一実施の形態における手摺の断面図である。
【図２】同手摺の樹脂被覆体の中での光の反射状態を示す説明図である。
【発明を実施するための形態】
【０００９】
以下、本発明の一実施の形態を、図１〜図２を用いて具体的に説明する。
図において、１はアルミニウムを材料に用いて作られた芯材で、この芯材１の少なくとも上面、詳しくは下端を除く全面を光反射層２で覆っている。３は前記芯材１の周りを光反射層２を介して覆うように設けられた樹脂被覆体で、この樹脂被覆層３の外周面は表面層４で覆われている。
【００１０】
前記樹脂被覆体３はアクリルなどの透明な合成樹脂を用いて構成され、また前記表面層４はアクリルなどの透明な合成樹脂の中に着色材を１質量％程度含有させてなる材料を用いて構成されている。前記表面層４の厚さは０．５ｍｍで、その中に含まれる着色材の平均粒径は２５μｍ程度である。
【００１１】
そして、上記のように作られた棒状の手摺の樹脂被覆体３の長さ方向の両端には発光ダイオード５が配設され、夜間において人が近づいたことをセンサーで検知して発光ダイオード５を点灯させることによりその光は樹脂被覆体３の中を前記光反射層２を反射しながら通り、光反射層２を小さい角度で反射した光が樹脂被覆体３より表面層４を通って外部に出るようになり、手摺全体を見た場合、光が帯状に発せられ、視認性を向上させることができる。さらに、本実施の形態のように樹脂被覆体３を覆う表面層４が存在することにより、光を拡散させて光を和らげることができる。
【産業上の利用可能性】
【００１２】
本発明の手摺装置は、手摺全体を見て帯状に発光させることにより視認性を向上させることのできる手摺装置である。
【符号の説明】
【００１３】
１    芯材
２    光反射層
３    樹脂被覆体
４    表面層
５    発光ダイオード
【図１】
2010255319.tif 000003
【図２】
2010255319.tif 000004